(57)【要約】【課題】第１筐体と第２筐体との開閉状態の変化をトリガとして、第１筐体および第２筐体の少なくとも一方の姿勢に応じた機能を起動する携帯端末装置を提供する。【解決手段】第１筐体と第２筐体とが開閉自在に接続された携帯端末装置に内蔵された開閉センサ１１１が、第１筐体と第２筐体との開閉状態の変化を検出すると、姿勢センサ１１０が第１筐体および第２筐体の少なくとも一方の姿勢の変化を検出し、制御部１１３は、検出された姿勢に対応して起動すべき機能の種別情報を記憶部から読み出し、当該機能を起動する。【選択図】図１
2008187342.tif 000002
【特許請求の範囲】
【請求項１】
第１筐体と第２筐体とが開閉自在に接続された携帯端末装置において、第１筐体と第２筐体との開閉状態の変化を検出する開閉検出部と、第１筐体および第２筐体の少なくとも一方の姿勢の変化を検出する姿勢検出部と、姿勢に対応して起動すべき機能の種別情報を記憶する記憶部と、前記開閉検出部によって開閉状態の変化が検出されたときに、前記姿勢検出部で検出された姿勢に対応して前記記憶部に記憶されている種別情報が示す機能を起動する制御部とを備えることを特徴とする携帯端末装置。
【請求項２】
第１筐体と第２筐体とが開閉自在に接続された携帯端末装置において、第１筐体と第２筐体との開閉状態の変化を検出する開閉検出部と、第１筐体および第２筐体の少なくとも一方の姿勢の変化を検出する姿勢検出部と、装置の動きを検出する移動検出部と、姿勢に対応して起動すべき機能の種別情報を記憶する記憶部と、前記開閉検出部によって開閉状態の変化が検出されたときに、装置の動きが停止するのを前記移動検出部で監視し、装置の動きが停止した時点において前記姿勢検出部で検出された姿勢に対応して前記記憶部に記憶されている種別情報が示す機能を起動する制御部とを備えることを特徴とする携帯端末装置。
【請求項３】
前記姿勢検出部および前記移動検出部は同じ３軸加速度センサを使用することを特徴とする請求項２記載の携帯端末装置。
【請求項４】
第１筐体と第２筐体とが開閉自在に接続された携帯端末装置の制御方法において、開閉検出部が、第１筐体と第２筐体との開閉状態の変化を検出する第１のステップと、姿勢検出部が、前記開閉検出部によって開閉状態の変化が検出されたときに、第１筐体および第２筐体の少なくとも一方の姿勢の変化を検出する第２のステップと、制御部が、姿勢に対応して起動すべき機能の種別情報を記憶する記憶部から前記姿勢検出部で検出された姿勢に対応する種別情報を読み出して機能を起動する第３のステップとを含むことを特徴とする携帯端末装置の制御方法。
【請求項５】
第１筐体と第２筐体とが開閉自在に接続された携帯端末装置の制御方法において、開閉検出部が、第１筐体と第２筐体との開閉状態の変化を検出する第１のステップと、移動検出部が、前記開閉検出部によって開閉状態の変化が検出されたときに、装置の動きが停止するのを検出する第２のステップと、姿勢検出部が、装置の動きが停止した時点の第１筐体および第２筐体の少なくとも一方の姿勢を検出する第３のステップと、制御部が、姿勢に対応して起動すべき機能の種別情報を記憶する記憶部から前記姿勢検出部で検出された姿勢に対応する種別情報を読み出して機能を起動する第４のステップとを含むことを特徴とする携帯端末装置の制御方法。
【請求項６】
姿勢に対応して起動すべき機能の種別情報を記憶する記憶部を有し、第１筐体と第２筐体とが開閉自在に接続された携帯端末装置を構成するコンピュータを、第１筐体と第２筐体との開閉状態の変化を検出する開閉検出部と、第１筐体および第２筐体の少なくとも一方の姿勢の変化を検出する姿勢検出部と、前記開閉検出部によって開閉状態の変化が検出されたときに、前記姿勢検出部で検出された姿勢に対応して前記記憶部に記憶されている種別情報が示す機能を起動する制御部として機能させるためのプログラム。
【請求項７】
姿勢に対応して起動すべき機能の種別情報を記憶する記憶部を有し、第１筐体と第２筐体とが開閉自在に接続された携帯端末装置を構成するコンピュータを、第１筐体と第２筐体との開閉状態の変化を検出する開閉検出部と、第１筐体および第２筐体の少なくとも一方の姿勢の変化を検出する姿勢検出部と、装置の動きを検出する移動検出部と、前記開閉検出部によって開閉状態の変化が検出されたときに、装置の動きが停止するのを前記移動検出部で監視し、装置の動きが停止した時点において前記姿勢検出部で検出された姿勢に対応して前記記憶部に記憶されている種別情報が示す機能を起動する制御部として機能させるためのプログラム。
【発明の詳細な説明】
【技術分野】
【０００１】
本発明は携帯電話機などの携帯端末装置に関し、特にメール機能やテレビ機能などの機能を起動する方法の改良に関する。
【背景技術】
【０００２】
携帯端末装置の一例として、携帯電話機は多機能化が進んでおり、電話やメール機能以外にも、カメラ、放送受信（テレビ等）、音楽再生、測位（位置情報）など数多くの機能が搭載されてきている。それに伴って、ユーザがメニュー画面から所望の機能をキー操作により選択する際の操作が煩雑化している。このような状況において、よりスピーディに、またより簡易に必要とする機能を選択する技術が求められている。
【０００３】
この種の従来技術の一例が特許文献１に記載されている。特許文献１に記載された携帯端末装置は、第１の筐体に対し表示部を備える第２の筐体を接続機構により回動可能に接続し、第１の筐体に対する第２の筐体の姿勢を、表示部が内向きの状態で筐体同士が重なり合う第１の状態と、表示部が外向きの状態で筐体同士が重なり合う第２の状態と、第１の状態と第２の状態との中間の状態で表示部が露出する第３の状態に選択的に設定可能な携帯端末装置において、第１の筐体に対する第２の筐体の姿勢の変化を検出する姿勢判定手段と、この姿勢判定手段によって第１または第３の状態から第２の状態に変化したことが検出された場合に、映像信号を表示部に表示する映像表示手段を起動する起動制御手段とを備えている。
【０００４】
他方、特許文献２には、筐体の方位と傾きの大きさに応じて表示部に表示される壁紙が変化する携帯端末装置が記載されている。
【０００５】
【特許文献１】特開２００６−２１１３９４号公報
【特許文献２】特開２００６−１５７１８２号公報
【発明の開示】
【発明が解決しようとする課題】
【０００６】
特許文献１に記載された技術によれば、第１の筐体に対する第２の筐体の姿勢を第１または第３の状態から第２の状態に変化させると、映像表示手段が自動的に起動される。このため、例えばテレビジョン受信機能のアプリケーションを起動させようとする場合に、ユーザは筐体を開いて第３の姿勢にするだけでよくなり、筐体を開いたのちメニュー画面においてキー操作によりメニュー選択を行う必要があった既存の装置に比べ、操作性が向上する。
【０００７】
しかしながら、第１の筐体に対する第２の筐体の姿勢を検知の対象としているため、例えば図７に示されるように、折り畳み型の携帯電話機を主表示部が上にくるように縦に開いた姿勢、主表示部が右にくるように横に開いた姿勢、主表示部が左にくるように横に開いた姿勢は、何れも同じ姿勢として検知される。何故なら、何れも一方の筐体に対する他方の筐体の姿勢としては、「１８０度開いている姿勢」という点で同じになるためである。自動的に起動する機能が高々１つであれば、これら３つの姿勢を同一の姿勢として検出するメリットはあるが、自動的に起動する機能の種類が多い場合には逆にデメリットとなる。
【０００８】
筐体の方位と傾きの大きさに応じて表示部に表示される壁紙を変化させる特許文献２の技術を応用し、筐体の方位と傾きの大きさに応じて起動する機能の種類を変化させることが考えられるが、ユーザにとって方位は自明でなく、また日常の使用に際して筐体の方位と傾きは常に変化するため、所望の種類の機能をユーザ自身が選択的に起動するのは甚だ困難である。
【０００９】
本発明の目的は、第１筐体と第２筐体との開閉状態の変化をトリガとして、第１筐体および第２筐体の少なくとも一方の姿勢に応じた機能を起動する携帯端末装置を提供することにある。
【課題を解決するための手段】
【００１０】
本発明の第１の携帯端末装置は、第１筐体と第２筐体とが開閉自在に接続された携帯端末装置において、第１筐体と第２筐体との開閉状態の変化を検出する開閉検出部と、第１筐体および第２筐体の少なくとも一方の姿勢の変化を検出する姿勢検出部と、姿勢に対応して起動すべき機能の種別情報を記憶する記憶部と、前記開閉検出部によって開閉状態の変化が検出されたときに、前記姿勢検出部で検出された姿勢に対応して前記記憶部に記憶されている種別情報が示す機能を起動する制御部とを備えることを特徴とする。
【００１１】
本発明の第２の携帯端末装置は、第１筐体と第２筐体とが開閉自在に接続された携帯端末装置において、第１筐体と第２筐体との開閉状態の変化を検出する開閉検出部と、第１筐体および第２筐体の少なくとも一方の姿勢の変化を検出する姿勢検出部と、装置の動きを検出する移動検出部と、姿勢に対応して起動すべき機能の種別情報を記憶する記憶部と、前記開閉検出部によって開閉状態の変化が検出されたときに、装置の動きが停止するのを前記移動検出部で監視し、装置の動きが停止した時点において前記姿勢検出部で検出された姿勢に対応して前記記憶部に記憶されている種別情報が示す機能を起動する制御部とを備えることを特徴とする。
【００１２】
本発明の第３の携帯端末装置は、第２の携帯端末装置において、前記姿勢検出部および前記移動検出部は同じ３軸加速度センサを使用することを特徴とする。
【００１３】
本発明の第１の携帯端末装置の制御方法は、第１筐体と第２筐体とが開閉自在に接続された携帯端末装置の制御方法において、開閉検出部が、第１筐体と第２筐体との開閉状態の変化を検出する第１のステップと、姿勢検出部が、前記開閉検出部によって開閉状態の変化が検出されたときに、第１筐体および第２筐体の少なくとも一方の姿勢の変化を検出する第２のステップと、制御部が、姿勢に対応して起動すべき機能の種別情報を記憶する記憶部から前記姿勢検出部で検出された姿勢に対応する種別情報を読み出して機能を起動する第３のステップとを含むことを特徴とする。
【００１４】
本発明の第２の携帯端末装置の制御方法は、第１筐体と第２筐体とが開閉自在に接続された携帯端末装置の制御方法において、開閉検出部が、第１筐体と第２筐体との開閉状態の変化を検出する第１のステップと、移動検出部が、前記開閉検出部によって開閉状態の変化が検出されたときに、装置の動きが停止するのを検出する第２のステップと、姿勢検出部が、装置の動きが停止した時点の第１筐体および第２筐体の少なくとも一方の姿勢を検出する第３のステップと、制御部が、姿勢に対応して起動すべき機能の種別情報を記憶する記憶部から前記姿勢検出部で検出された姿勢に対応する種別情報を読み出して機能を起動する第４のステップとを含むことを特徴とする。
【００１５】
『作用』
本発明の第１の携帯端末装置にあっては、第１筐体と第２筐体との開閉状態を開から閉あるいは閉から開に変化させると、そのことが開閉検出部で検出され、続いて姿勢検出部によって第１筐体および第２筐体の少なくとも一方の姿勢の変化が検出され、この検出された姿勢に対応して記憶部に記憶されている種別情報が制御部によって読み出されて該当する機能が起動される。
【００１６】
また本発明の第２の携帯端末装置にあっては、第１筐体と第２筐体との開閉状態を開から閉あるいは閉から開に変化させると、そのことが開閉検出部で検出され、続いて移動検出部によって装置の動きが監視される。そして、装置の動きが停止したことが検出されると、姿勢検出部によって第１筐体および第２筐体の少なくとも一方の姿勢の変化が検出され、この検出された姿勢に対応して記憶部に記憶されている種別情報が制御部によって読み出されて該当する機能が起動される。
【発明の効果】
【００１７】
本発明によれば以下のような効果が奏される。
【００１８】
第１筐体と第２筐体との開閉状態の変化をトリガとして、第１筐体および第２筐体の少なくとも一方の姿勢に応じた機能を自動的に起動することができる。これにより、筐体を開いたのちメニュー画面においてキー操作によりメニュー選択を行う必要があった既存の装置に比べて素早く、また簡易に機能の選択を行うことが可能になる。
【００１９】
第１筐体および第２筐体の少なくとも一方の姿勢に応じて機能を選択するので、例えば図７に示されるように、折り畳み型の携帯電話機を主表示部が上にくるように縦に開いた姿勢、主表示部が右にくるように横に開いた姿勢、主表示部が左にくるように横に開いた姿勢それぞれ毎に、異なる機能を選択することも可能となる。
【００２０】
移動検出部を備えた構成にあっては、第１筐体と第２筐体との開閉状態が変化した時点の姿勢にかかわらず、その後に動きが停止した時点の姿勢に応じて機能が選択されるので、片手で開閉操作を行うユーザにとって使い勝手が向上する。
【発明を実施するための最良の形態】
【００２１】
次に本発明の実施の形態について図面を参照して詳細に説明する。
【００２２】
『第１の実施の形態』
図１および図２を参照すると、本発明の第１の実施の形態にかかる携帯端末装置１００は、通信機能（通話、メール送受信、インターネット接続）を備え、主表示部１０３ａを有する第１筐体１００ａと操作部１０４を有する第２筐体１００ｂとがヒンジ部１００ｃにより相互に開閉自在に接続された折り畳み型の携帯電話装置である。
【００２３】
携帯端末装置１００は、無線アンテナ１０１を介して図示しない無線基地局装置との間で無線により情報の送受信を行う無線通信部１０２と、画像、図形、文字、記号などの各種情報の表示出力制御（映像信号処理）を行う液晶表示装置であって、第１筐体１００ａの内面（折り畳み時に外部に露出しない面）側に設けられた主表示部１０３ａおよび第１筐体１００ａの外面（折り畳み時に外部に露出する面）側に設けられた副表示部１０３ｂとから構成される表示部１０３と、テンキー、スクロールキー、決定キー等から構成され携帯端末装置１００に対する各種情報入力を行う操作部１０４と、送話部１０６（送話マイク）および受話部１０７（受話スピーカ）を介して入出力された音声信号の処理を行う音声処理部１０５とを備えている。
【００２４】
さらに携帯端末装置１００は、第１筐体１００ａの外面に配設され、画像情報の取得（撮影）を行うカメラ部１０８と、楽音や報知音などの鳴音出力を行うスピーカ１０９と、第２筐体１００ｂの姿勢を検出する姿勢センサ１１０と、第１筐体１００ａと第２筐体１００ｂに磁石、ホール素子を配設することで、或いは凸部と押下スイッチを配設する等の方法により、第１筐体１００ａと第２筐体１００ｂの相互の位置（開状態、閉状態）を検出する開閉センサ１１１と、図示しない放送受信用アンテナを介して受信した放送局（テレビ、ラジオ）からの放送信号を受信して復調する放送受信処理部１１４と、通信機能に関わる情報（電話帳情報、送受信メール情報、発着呼情報）やコンテンツ情報、アプリケーションプログラム情報、携帯端末装置の諸設定を格納するメモリ部１１２と、電話機能、メール機能、インターネット（web）接続機能、カメラ機能、テレビ受信機能、コンテンツ再生機能、その他の端末の有する機能や各部の制御を行う制御部１１３とを備えている。
【００２５】
姿勢センサ１１０は、例えば図３（ａ）に示す３軸加速度センサ２０１で構成される。３軸加速度センサ２０１は、感応軸方向に関して、運動加速度成分から重力加速度成分を差し引いた成分を測定する慣性センサである。今、それぞれ直交する３つの感応軸をｘ軸、ｙ軸、ｚ軸とし、各軸の検出値をＡｘ、Ａｙ、Ａｚとすると、各軸が地面に垂直な鉛直軸から傾いている角度θｘ、θｙ、θｚを図３（ｂ）の式によって計算することができる。ここで、ｇは重力加速度である。
【００２６】
従って、姿勢センサ１１０を、例えば図４に示されるように、ｘ−ｙ軸で形成されるｘｙ平面が第２筐体１００ｂの内面（折り畳み時に露出しない面）と平行になり、ｚ軸が当該内面に垂直になるように第２筐体１００ｂに内蔵しておけば、第２筐体１００ｂの姿勢の変化を検出することができる。
【００２７】
図５はメモリ部１１２に記憶されている姿勢判定テーブル２１１の一例を示す。姿勢判定テーブル２１１は、３軸加速度センサ２０１の各軸の検出値Ａｘ、Ａｙ、Ａｚと、予め定められた姿勢との関係を定義したテーブルである。ここで、姿勢１は図７に示されるように主表示部１０３ａが上にくるように縦に開いた姿勢、姿勢２は主表示部１０３ａが右にくるように横に開いた姿勢、姿勢３は主表示部１０３ａが左にくるように横に開いた姿勢である。例えば、検出値Ａｘが○○から○×の範囲にあり、かつ、検出値Ａｙが△△から△×の範囲にあり、かつ、検出値Ａｚが□□から□×の範囲にあれば、姿勢１と判定される。
【００２８】
図６はメモリ部１１２に記憶されている機能設定テーブル２２１の一例を示す。機能設定テーブル２２１は、姿勢に対応して起動すべき機能の種別情報を記憶するテーブルである。ここでは、３つの設定があり、設定１には姿勢１に対応してメール機能が、設定２には姿勢２に対してテレビ機能が、設定３には姿勢３に対してゲーム機能がそれぞれ設定されている。機能種別の欄には、具体的には該当する機能を提供するアプリケーションプログラム名やその呼び出し先のアドレス等が設定される。
【００２９】
次に本実施の形態の動作を説明する。
【００３０】
携帯端末装置１００のメモリ部１１２には、ユーザの予めの設定により、携帯端末装置１００を閉状態から開状態（使用スタイル）に移行した際に、どのような機能を起動させるかの情報（設定）が格納されている。本実施の形態の場合、例えば、図７（ａ）に示すように、ヒンジ部１００ｃを上側とした閉じた状態から開いた状態に変位させた場合にはメール機能を起動させ、図７（ｂ）に示すように、ヒンジ部１００ｃを右側とした閉じた状態から開いた状態に変位させた場合にはテレビ機能を起動させ、図７（ｃ）に示すように、ヒンジ部１００ｃを左側とした閉じた状態から開いた状態に変位させた場合には、所定のゲーム（アプリケーション）を起動させる設定がなされている。
【００３１】
携帯端末装置１００の制御部１１３は、筐体の閉状態から開状態への変化を開閉センサ１１１の出力により検出すると（図８のステップＳ１０１）、その時点の第２筐体１００ｂの姿勢（向き）を姿勢センサ１１０（３軸加速度センサ２０１）の出力値とメモリ部１１２中の姿勢判定テーブル２１１とにより判定し（ステップＳ１０２）、判定した姿勢に対応する機能種別情報をメモリ部１１２の機能設定テーブル２２１から読み出す（ステップＳ１０３）。そして、当該機能種別情報が示す機能を実行するアプリケーションプログラムを起動する（ステップＳ１０４）。従って、図７（ａ）に示すように、ユーザがヒンジ部１００ｃを上側とした閉じた状態から開いた状態に変位させた場合、メール機能が起動される。また、図７（ｂ）に示すように、ユーザがヒンジ部１００ｃを右側とした閉じた状態から開いた状態に変位させた場合には、テレビ機能が起動される。さらに、図７（ｃ）に示すように、ユーザがヒンジ部１００ｃを左側とした閉じた状態から開いた状態に変位させた場合には、所定のゲームが起動される。
【００３２】
次に本実施の形態の効果を説明する。
【００３３】
本実施の形態によれば、筐体の閉状態から開状態への変化をトリガとして、開状態となった時点の第２筐体１００ｂの姿勢に応じた機能を自動的に起動することができる。これにより、筐体を開いたのちメニュー画面においてキー操作によりメニュー選択を行う必要があった既存の装置に比べて素早く、また簡易に機能の選択を行うことが可能になる。
【００３４】
第２筐体１００ｂの姿勢に応じて機能を選択するので、図７に示したように、主表示部１０３ａが上にくるように縦に開いた姿勢、主表示部１０３ａが右にくるように横に開いた姿勢、主表示部１０３ａが左にくるように横に開いた姿勢のそれぞれ毎に、異なる機能を起動することができる。
【００３５】
『第２の実施の形態』
上述した第１の実施の形態では、筐体の閉状態から開状態への変化をトリガとして機能を起動したが、本実施の形態では、筐体の開状態から閉状態への変化をトリガとして、閉状態となった第２筐体１００ｂの姿勢に応じた機能を起動する。以下、第１の実施の形態との相違点を中心に説明する。
【００３６】
図９は本実施の形態にかかる携帯端末装置１００のメモリ部１１２に記憶されている機能設定テーブル２３１の一例を示す。この例の機能設定テーブル２３１には３つの設定があり、設定１には姿勢１に対応して時計機能が、設定２には姿勢２に対して音楽再生機能が、設定３には姿勢３に対してカメラ機能がそれぞれ設定されている。機能種別の欄には、具体的には該当する機能を提供するアプリケーションプログラム名やその呼び出し先のアドレス等が設定される。また、メモリ部１１１には第１の実施の形態と同様な図５に示した姿勢判定テーブル２１１が記憶されている。
【００３７】
携帯端末装置１００の制御部１１３は、筐体の開状態から閉状態への変化を開閉センサ１１１の出力により検出すると（図１０のステップＳ２０１）、第２筐体１００ｂの姿勢（向き）を姿勢センサ１１０（３軸加速度センサ２０１）の出力値とメモリ部１１２中の姿勢判定テーブル２１１とにより判定し（ステップＳ２０２）、判定した姿勢に対応する機能種別情報をメモリ部１１２の機能設定テーブル２３１から読み出す（ステップＳ２０３）。そして、当該機能種別情報が示す機能を実行するアプリケーションプログラムを起動する（ステップＳ２０４）。
【００３８】
従って、図１１（ａ）に示すように、ユーザがヒンジ部１００ｃを上側とした開いた状態から閉じた状態に変位させた場合、時計機能が起動される。また、図１１（ｂ）に示すように、ユーザがヒンジ部１００ｃを右側とした開いた状態から閉じた状態に変位させた場合には、音楽再生機能が起動する。さらに、図１１（ｃ）に示すように、ユーザがヒンジ部１００ｃを左側とした開いた状態から閉じた状態に変位させた場合には、カメラ機能が起動する。
【００３９】
次に本実施の形態の効果を説明する。
【００４０】
本実施の形態によれば、筐体の開状態から閉状態への変化をトリガとして、閉状態となった時点の第２筐体１００ｂの姿勢に応じた機能を自動的に起動することができる。これにより、筐体を閉じた状態で使用する機能について、筐体を開いたのちメニュー画面においてキー操作によりメニュー選択を行う必要があった既存の装置に比べて素早く、また簡易に機能の選択を行うことが可能になる。
【００４１】
第２筐体１００ｂの姿勢に応じて機能を選択するので、図１１に示したように、ヒンジ部１００ｃが上にくるように縦に閉じた姿勢、ヒンジ部１００ｃが右にくるように横に閉じた姿勢、ヒンジ部１００ｃが左にくるように横に閉じた姿勢のそれぞれの姿勢毎に、異なる機能を起動することができる。
【００４２】
『第３の実施の形態』
図１２を参照すると、本発明の第３の実施の形態にかかる携帯端末装置３００は、自装置の動きを検出する動きセンサ１１５が追加されている点で、図１に示した第１の実施の形態にかかる携帯端末装置１００と相違する。
【００４３】
動きセンサ１１５は、図３（ａ）に示したものと同様の３軸加速度センサ２０１で構成される。この場合、各軸ｘ、ｙ、ｚの検出値Ａｘ、Ａｙ、Ａｚを所定の時間間隔でサンプリングし、直前のサンプリング値との差分を求め、その差分値がほぼ０かどうかを判定することにより、携帯端末装置３００の動きの有無を判定することができる。すなわち、図３（ｃ）の式が成立したとき、携帯端末装置３００は動きが停止していると判定できる。ここで、Ａｘt、Ａｙt、Ａｚtは時刻ｔにおける各軸の検出値を示す。
【００４４】
動きセンサ１１５は、第１筐体１００ａおよび第２筐体１００ｂの何れに配設しても良い。また、動きセンサ１１５と姿勢センサ１１０とで同じ３軸加速度センサ２０１を使用しても良い。
【００４５】
次に本実施の形態の動作を説明する。
【００４６】
携帯端末装置３００のメモリ部１１２には、ユーザの予めの設定により、携帯端末装置３００を閉状態から開状態（使用スタイル）に移行した際に、どのような機能を起動させるかの情報（設定）が格納されている。本実施の形態の場合、例えば、図１３に示すように、任意の姿勢の閉状態からヒンジ部１００ｃを上側として開いた状態に変位させた場合にはメール機能を起動させ、任意の姿勢の閉状態からヒンジ部１００ｃを右側として開いた状態に変位させた場合にはテレビ機能を起動させ、任意の姿勢の閉状態からヒンジ部１００ｃを左側として開いた状態に変位させた場合には、所定のゲーム（アプリケーション）を起動させる設定がなされている。このような設定は第１の実施の形態と同様に図６に示したような機能設定テーブル２２１で行う。また図５に示したような姿勢判定テーブル２１１も事前に設定しておく。
【００４７】
携帯端末装置３００の制御部１１３は、筐体の閉状態から開状態への変化を開閉センサ１１１の出力により検出すると（図１４のステップＳ３０１）、自装置３００の動きを動きセンサ１１５（３軸加速度センサ２０１）の出力値により判定する（ステップＳ３０２）。そして、自装置３００の動きが停止したことを検出すると、その時点の第２筐体１００ｂの姿勢（向き）を姿勢センサ１１０（３軸加速度センサ２０１）の出力値とメモリ部１１２中の姿勢判定テーブル２１１とにより判定し（ステップＳ３０３）、判定した姿勢に対応する機能種別情報をメモリ部１１２の機能設定テーブル２２１から読み出す（ステップＳ３０４）。そして、当該機能種別情報が示す機能を実行するアプリケーションプログラムを起動する（ステップＳ３０５）。
【００４８】
従って、図１３に示すように、ユーザが任意の閉状態、例えばヒンジ部１００ｃを上側として閉じた状態、ヒンジ部１００ｃを右側として閉じた状態、ヒンジ部１００ｃを左側として閉じた状態などから、ヒンジ部１００ｃを上側として開いた状態に携帯端末装置３００を動かしながら変位させた場合、メール機能が起動される。
【００４９】
また、図１３に示すように、ユーザが前記と同様の任意の閉状態から、ヒンジ部１００ｃを右側として開いた状態に携帯端末装置３００を動かしながら変位させた場合には、テレビ機能が起動する。
【００５０】
さらに、図１３に示すように、ユーザが前記と同様の任意の閉状態から、ヒンジ部１００ｃを左側として開いた状態に携帯端末装置３００を動かしながら変位させた場合には、所定のゲームを起動する。
【００５１】
次に本実施の形態の効果を説明する。
【００５２】
本実施の形態によれば、筐体の閉状態から開状態への変化をトリガとして、動きが停止した時点の第２筐体１００ｂの姿勢に応じた機能を自動的に起動することができる。これにより、筐体を開いたのちメニュー画面においてキー操作によりメニュー選択を行う必要があった既存の装置に比べて素早く、また簡易に機能の選択を行うことが可能になる。
【００５３】
第２筐体１００ｂの姿勢に応じて機能を選択するので、図１３に示したように、主表示部１０３ａが上にくるように縦に開いた姿勢、主表示部１０３ａが右にくるように横に開いた姿勢、主表示部１０３ａが左にくるように横に開いた姿勢のそれぞれ毎に、異なる機能を起動することができる。
【００５４】
閉状態から開状態へ変化した時点の姿勢にかかわらず、動きが停止した時点の姿勢に応じて機能が選択されるので、片手で開閉操作を行うユーザにとって使い勝手が向上する。
【００５５】
『第４の実施の形態』
上述した第３の実施の形態では、筐体の閉状態から開状態への変化をトリガとして機能を起動したが、本実施の形態では、筐体の開状態から閉状態への変化をトリガとして、その後の動きの停止時点の第２筐体１００ｂの姿勢に応じた機能を起動する。以下、第３の実施の形態との相違点を中心に説明する。
【００５６】
本実施の形態にかかる携帯端末装置３００のメモリ部１１２には、第２の実施の形態と同様な図９に示した機能設定テーブル２３１が記憶されている。また、メモリ部１１２には第１の実施の形態と同様な図５に示した姿勢判定テーブル２１１が記憶されている。
【００５７】
携帯端末装置３００の制御部１１３は、筐体の開状態から閉状態への変化を開閉センサ１１１の出力により検出すると（図１５のステップＳ４０１）、自装置３００の動きを動きセンサ１１５（３軸加速度センサ２０１）の出力値により判定する（ステップＳ４０２）。そして、自装置３００の動きが停止したことを検出すると、その時点の第２筐体１００ｂの姿勢（向き）を姿勢センサ１１０（３軸加速度センサ２０１）の出力値とメモリ部１１２中の姿勢判定テーブル２１１とにより判定し（ステップＳ４０３）、判定した姿勢に対応する機能種別情報をメモリ部１１２の機能設定テーブル２３１から読み出す（ステップＳ４０４）。そして、当該機能種別情報が示す機能を実行するアプリケーションプログラムを起動する（ステップＳ４０５）。
【００５８】
従って、図１６に示すように、ユーザが任意の開状態、たとえばヒンジ部１００ｃを上側として開いた状態、ヒンジ部１００ｃを右側として開いた状態、ヒンジ部１００ｃを左側とした開いた状態などから、ヒンジ部１００ｃを上側として閉じた状態に携帯端末装置３００を動かしながら変位させた場合、時計機能が起動される。
【００５９】
また、図１６に示すように、ユーザが上記と同様の任意の開状態から、ヒンジ部１００ｃを右側として閉じた状態に携帯端末装置３００を動かしながら変位させた場合には、音楽再生機能が起動する。
【００６０】
さらに、図１６に示すように、ユーザが上記と同様の任意の開状態から、ヒンジ部１００ｃを左側として閉じた状態に携帯端末装置３００を動かしながら変位させた場合には、カメラ機能が起動する。
【００６１】
次に本実施の形態の効果を説明する。
【００６２】
本実施の形態によれば、筐体の開状態から閉状態への変化をトリガとして、動きが停止した時点の第２筐体１００ｂの姿勢に応じた機能を自動的に起動することができる。これにより、筐体を閉じた状態で使用する機能について、筐体を開いたのちメニュー画面においてキー操作によりメニュー選択を行う必要があった既存の装置に比べて素早く、また簡易に機能の選択を行うことが可能になる。
【００６３】
第２筐体１００ｂの姿勢に応じて機能を選択するので、図１６に示したように、ヒンジ部１００ｃが上にくるように縦に閉じた姿勢、ヒンジ部１００ｃが右にくるように横に閉じた姿勢、ヒンジ部１００ｃが左にくるように横に閉じた姿勢のそれぞれの姿勢毎に、異なる機能を起動することができる。
【００６４】
開状態から閉状態へ変化した時点の姿勢にかかわらず、動きが停止した時点の姿勢に応じて機能が選択されるので、片手で開閉操作を行うユーザにとって使い勝手が向上する。
【００６５】
『その他の実施の形態』
上述した各実施の形態は、筐体の閉状態から開状態への変化あるいはその逆の開状態から閉状態への変化の何れか一方をトリガとして機能選択を行ったが、閉状態から開状態への変化および開状態から閉状態への変化の双方について、姿勢に応じた機能の選択を行うようにしても良い。
【００６６】
また上述した各実施の形態は、姿勢センサ１１０を第２の筐体１００ｂに内蔵させて第２の筐体１００ｂの姿勢に応じた機能選択を行ったが、姿勢センサ１１０を第１の筐体１００ａに内蔵させて第１の筐体１００ａの姿勢に応じて機能選択を行うようにしても良い。さらに、第１の筐体１００ａおよび第２の筐体１００ｂのそれぞれに姿勢センサ１１０を内蔵させて第１の筐体１００ａおよび第２の筐体１００ｂの姿勢の組み合わせに応じて機能選択を行うようにしても良い。
【００６７】
また上述した各実施の形態は、折畳み型の携帯端末装置に本発明を適用したが、これに限定されるものではなく、例えば、第１筐体と第２筐体がスライド構造により接続され、相互の位置として、縮退、展開位置に変位するスライド型の携帯端末装置や、第１筐体と第２筐体が回動構造により結合され、第１筐体が第２筐体に対して回転するリボルバー型の携帯端末装置に対しても適用することができる。
【００６８】
また本発明の携帯端末装置は、その有する機能をハードウェア的に実現することは勿論、コンピュータとプログラムとで実現することができる。プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した各実施の形態における携帯端末装置として機能させ、前述した処理を行わせる。
【図面の簡単な説明】
【００６９】
【図１】本発明の第１の実施の形態にかかる携帯端末装置のブロック図である。
【図２】本発明の第１の実施の形態にかかる携帯端末装置の閉じた状態と開いた状態の平面図である。
【図３】姿勢センサおよび動きセンサとして使用する３軸加速度センサの説明図である。
【図４】３軸加速度センサで携帯端末装置の姿勢を検出する場合の感応軸の設定例を示す図である。
【図５】３軸加速度センサの各軸の検出値と予め定められた姿勢との関係を定義した姿勢判定テーブルの一例を示す図である。
【図６】姿勢に対応して起動すべき機能の種別情報を記憶する機能設定テーブルの一例を示す図である。
【図７】本発明の第１の実施の形態にかかる携帯端末装置の姿勢の変化と起動される機能の例を示す図である。
【図８】本発明の第１の実施の形態にかかる携帯端末装置の処理例を示すフローチャートである。
【図９】本発明の第２の実施の形態で使用する機能設定テーブルの一例を示す図である。
【図１０】本発明の第２の実施の形態にかかる携帯端末装置の処理例を示すフローチャートである。
【図１１】本発明の第２の実施の形態にかかる携帯端末装置の姿勢の変化と起動される機能の例を示す図である。
【図１２】本発明の第３の実施の形態にかかる携帯端末装置のブロック図である。
【図１３】本発明の第３の実施の形態にかかる携帯端末装置の姿勢の変化と起動される機能の例を示す図である。
【図１４】本発明の第３の実施の形態にかかる携帯端末装置の処理例を示すフローチャートである。
【図１５】本発明の第４の実施の形態にかかる携帯端末装置の処理例を示すフローチャートである。
【図１６】本発明の第４の実施の形態にかかる携帯端末装置の姿勢の変化と起動される機能の例を示す図である。
【符号の説明】
【００７０】
１００、３００…携帯端末装置
１００ａ…第１の筐体
１００ｂ…第２の筐体
１００ｃ…ヒンジ部
１０１…無線アンテナ
１０２…無線通信部
１０３…表示部
１０３ａ…主表示部
１０３ｂ…副表示部
１０４…操作部
１０５…音声処理部
１０６…送話部
１０７…受話部
１０８…カメラ部
１０９…スピーカ
１１０…姿勢センサ
１１１…開閉センサ
１１２…メモリ部
１１３…制御部
１１４…放送受信処理部
１１５…動きセンサ
【図１】
2008187342.tif 000003
【図２】
2008187342.tif 000004
【図３】
2008187342.tif 000005
【図４】
2008187342.tif 000006
【図５】
2008187342.tif 000007
【図６】
2008187342.tif 000008
【図７】
2008187342.tif 000009
【図８】
2008187342.tif 000010
【図９】
2008187342.tif 000011
【図１０】
2008187342.tif 000012
【図１１】
2008187342.tif 000013
【図１２】
2008187342.tif 000014
【図１３】
2008187342.tif 000015
【図１４】
2008187342.tif 000016
【図１５】
2008187342.tif 000017
【図１６】
2008187342.tif 000018